(57)【要約】【課題】簡便な構成にて、入力候補文字の中でユーザによるタッチ操作により選択された文字を入力文字として適切に取得することが可能な入力装置及び認証機器を提供する。【解決手段】入力装置は、入力文字の候補となる入力候補文字を表示する表示部と、静電容量式に構成された第１のタッチセンサ用電極及び第２のタッチセンサ用電極と、第１のタッチセンサ用電極に対するタッチ操作に応じて、表示部に表示させる入力候補文字を切り替える切り替え手段と、第２のタッチセンサ用電極に対するタッチ操作が行われた際に表示部に表示されていた入力候補文字を、入力文字として確定する確定手段と、を備える。【選択図】図１
2013257644.tif 000002
【特許請求の範囲】
【請求項１】
入力文字の候補となる入力候補文字を表示する表示部と、
静電容量式に構成された第１のタッチセンサ用電極及び第２のタッチセンサ用電極と、
前記第１のタッチセンサ用電極に対するタッチ操作に応じて、前記表示部に表示させる前記入力候補文字を切り替える切り替え手段と、
前記第２のタッチセンサ用電極に対するタッチ操作が行われた際に前記表示部に表示されていた前記入力候補文字を、前記入力文字として確定する確定手段と、を備えることを特徴とする入力装置。
【請求項２】
前記第２のタッチセンサ用電極は、前記表示部に重畳するように設けられていることを特徴とする請求項１に記載の入力装置。
【請求項３】
前記表示部は、複数の表示エリアを有しており、当該複数の表示エリアのそれぞれに前記入力候補文字を表示し、
前記第２のタッチセンサ用電極は、前記複数の表示エリアのそれぞれに重畳するように設けられており、
前記確定手段は、前記複数の表示エリアの中で、タッチ操作が行われた前記第２のタッチセンサ用電極が設けられた前記表示エリアに表示された前記入力候補文字を、前記入力文字として確定することを特徴とする請求項２に記載の入力装置。
【請求項４】
入力文字の候補となる入力候補文字を表示する表示部と、
静電容量式に構成されたタッチセンサ用電極と、
前記タッチセンサ用電極に対して第１のタッチ操作が行われた場合に、前記表示部に表示させる前記入力候補文字を切り替える切り替え手段と、
前記第１のタッチ操作とは異なる第２のタッチ操作が前記タッチセンサ用電極に対して行われた場合に、当該第２のタッチ操作が行われた際に前記表示部に表示されていた前記入力候補文字を、前記入力文字として確定する確定手段と、を備えることを特徴とする入力装置。
【請求項５】
前記切り替え手段は、前記表示部の表示をスクロールさせることで、前記入力候補文字を切り替えることを特徴とする請求項１乃至４のいずれか一項に記載の入力装置。
【請求項６】
前記表示部は、セグメント表示を行うことを特徴とする請求項１乃至５のいずれか一項に記載の入力装置。
【請求項７】
請求項１乃至６のいずれか一項に記載の入力装置と、
少なくとも認証データを含む情報を保持する機能を有するＩＣチップと、を備えることを特徴とする認証機器。
【請求項８】
前記入力装置の前記確定手段によって確定された前記入力文字と、前記ＩＣチップに保持された前記認証データとを比較することで、正当性を認証することを特徴とする請求項７に記載の認証機器。
【発明の詳細な説明】
【技術分野】
【０００１】
本発明は、静電容量式タッチセンサを用いた入力装置に関する。
【背景技術】
【０００２】
従来から、表示機能を有するＩＣカードが知られている。例えば、特許文献１には、テンキーとディスプレイとを有するＩＣカードが記載されている。その他にも、表示機能を有するＩＣカードに関する技術が、例えば特許文献２乃至４に記載されている。
【先行技術文献】
【特許文献】
【０００３】
【特許文献１】特開２００２−１０９４３９号公報
【特許文献２】特開２００６−２２１３１３号公報
【特許文献３】特許第２５６２４８２号公報
【特許文献４】特開平５−２１２９９４号公報
【発明の概要】
【発明が解決しようとする課題】
【０００４】
ところで、入力機能及び表示機能を有するＩＣカードにおいて、簡便な構成にて、暗証番号やパスワードなどを適切に入力することができれば便宜である。上記した特許文献１乃至４には、そのような技術については記載されていない。そこで、本発明は、簡便な構成にて、入力候補文字の中でユーザによるタッチ操作により選択された文字を入力文字として適切に取得することが可能な入力装置及び認証機器を提供することを目的とする。
【課題を解決するための手段】
【０００５】
本発明の１つの観点では、入力装置は、入力文字の候補となる入力候補文字を表示する表示部と、静電容量式に構成された第１のタッチセンサ用電極及び第２のタッチセンサ用電極と、前記第１のタッチセンサ用電極に対するタッチ操作に応じて、前記表示部に表示させる前記入力候補文字を切り替える切り替え手段と、前記第２のタッチセンサ用電極に対するタッチ操作が行われた際に前記表示部に表示されていた前記入力候補文字を、前記入力文字として確定する確定手段と、を備える。
【０００６】
上記の入力装置は、入力文字の候補となる入力候補文字を表示部に表示させると共に、静電容量式に構成された第１のタッチセンサ用電極及び第２のタッチセンサ用電極を入力素子として用いて、ユーザの指先のタッチを検出する。切り替え手段は、第１のタッチセンサ用電極に対するタッチ操作に応じて、表示部に表示させる入力候補文字を切り替える。確定手段は、第２のタッチセンサ用電極に対するタッチ操作が行われた際に表示部に表示されていた入力候補文字を、入力文字として確定する。これにより、表示された入力候補文字の中でユーザによるタッチ操作により選択された文字を入力文字として適切に取得することができる。よって、上記の入力装置によれば、簡便なハードウェア構成及びソフトウェア処理にて、例えば暗証番号やパスワードなどを適切に入力することが可能となる。
【０００７】
なお、本明細書では、「タッチセンサ用電極がタッチされた」とは、タッチセンサ用電極が指先で直接タッチされた場合だけでなく、所定のフィルムなどを介してタッチセンサ用電極が間接的に指先でタッチされた場合も含むものとする。また、本明細書では、「静電容量式タッチセンサ」の文言を、「タッチセンサ用電極」を意味するものとして用いることもある。また、本明細書では、入力候補文字及び入力文字の「文字」には、一般的な意味での文字だけでなく、記号も含まれるものとする。
【０００８】
上記の入力装置の一態様では、前記第２のタッチセンサ用電極は、前記表示部に重畳するように設けられている。この態様によれば、ユーザは、表示された入力候補文字の中から入力文字を容易に選択することができる。
【０００９】
上記の入力装置において好適には、前記表示部は、複数の表示エリアを有しており、当該複数の表示エリアのそれぞれに前記入力候補文字を表示し、前記第２のタッチセンサ用電極は、前記複数の表示エリアのそれぞれに重畳するように設けられており、前記確定手段は、前記複数の表示エリアの中で、タッチ操作が行われた前記第２のタッチセンサ用電極が設けられた前記表示エリアに表示された前記入力候補文字を、前記入力文字として確定する。これにより、ユーザは、入力候補文字の中から入力文字を更に容易に選択することができる。
【００１０】
本発明の他の観点では、入力装置は、入力文字の候補となる入力候補文字を表示する表示部と、静電容量式に構成されたタッチセンサ用電極と、前記タッチセンサ用電極に対して第１のタッチ操作が行われた場合に、前記表示部に表示させる前記入力候補文字を切り替える切り替え手段と、前記第１のタッチ操作とは異なる第２のタッチ操作が前記タッチセンサ用電極に対して行われた場合に、当該第２のタッチ操作が行われた際に前記表示部に表示されていた前記入力候補文字を、前記入力文字として確定する確定手段と、を備える。
【００１１】
上記の入力装置は、同一のタッチセンサ用電極を用いて、表示させる入力候補文字の切り替え及び入力文字の確定の両方を行う。具体的には、当該入力装置では、タッチセンサ用電極に対するタッチ操作の態様（第１のタッチ操作及び第２のタッチ操作）に応じて、入力候補文字の切り替えの処理と、入力文字の確定の処理とを切り替えている。このような入力装置によっても、簡便なハードウェア構成及びソフトウェア処理にて、表示された入力候補文字の中でユーザによるタッチ操作により選択された文字を入力文字として適切に取得することができる。
【００１２】
上記の入力装置において好適には、前記切り替え手段は、前記表示部の表示をスクロールさせることで、前記入力候補文字を切り替えることができる。
【００１３】
また好適な例では、前記表示部はセグメント表示を行う。この例では、例えばＩＣカードなどの小型機器に入力装置を適用することができる。
【００１４】
本発明の更に他の観点では、認証装置は、上記の入力装置と、少なくとも認証データを含む情報を保持する機能を有するＩＣチップと、を備える。具体的には、認証装置は、前記入力装置の前記確定手段によって確定された前記入力文字と、前記ＩＣチップに保持された前記認証データとを比較することで、正当性を認証することができる。つまり、認証装置は、確定手段によって確定された入力文字を、ユーザによって入力された暗証番号やパスワードとして用い、入力された暗証番号やパスワードがＩＣチップに保持された認証データに一致する場合に、認証装置としての機能が有効になるように構成されている。
【図面の簡単な説明】
【００１５】
【図１】第１実施形態に係るＩＣカードの全体構成を概略的に示した図である。
【図２】静電容量式タッチセンサの構造の一例を示した図である。
【図３】第１実施形態において制御マイコンが行う制御例を説明するための図である。
【図４】第２実施形態に係るＩＣカードの全体構成を概略的に示した図である。
【図５】第３実施形態に係るＩＣカードの全体構成を概略的に示した図である。
【発明を実施するための形態】
【００１６】
以下、図面を参照しながら、本発明の実施の形態について説明する。
【００１７】
［第１実施形態］
まず、本発明の第１実施形態について説明する。
【００１８】
（装置構成）
図１は、第１実施形態に係る入力装置を適用したＩＣカード１０の全体構成を概略的に示した図である。ＩＣカード１０は、ＩＣが実装されたカードであり、主に、制御マイコン１と、スイッチ２と、電源３と、表示部４と、静電容量式タッチセンサ６ａ、６ｂを備える。例えば、ＩＣカード１０は、クレジットカードや、キャッシュカードや、電子マネーカードや、交通系チケットや、ＩＤ証（身分証明証や社員証）としての機能を有する。また、ＩＣカード１０は、本発明における「認証機器」の一例である。
【００１９】
スイッチ２は、ＩＣカード１０についての起動スイッチとして機能する。一つの例では、スイッチ２は、メカスイッチにて構成される。
【００２０】
表示部４は、液晶ディスプレイ（ＬＣＤ：Liquid Crystal Display）であり、制御マイコン１による制御に応じた表示を行う。具体的には、表示部４は、複数の表示エリア（図１に示す例では５つの表示エリア）を有しており、当該複数の表示エリアのそれぞれに入力候補文字を表示する。また、表示部４は、いわゆるセグメント表示を行う。
【００２１】
静電容量式タッチセンサ６ａ、６ｂは、静電容量式のタッチセンサ用電極を有しており、ユーザの指先のタッチを検出するために用いられる。また、静電容量式タッチセンサ６ａ、６ｂは、横方向に隣接配置されている。例えば、静電容量式タッチセンサ６ａ、６ｂは、人の指先と同程度のサイズに構成される。なお、以下では、静電容量式タッチセンサ６ａ、６ｂを区別しない場合には、単に「静電容量式タッチセンサ６」と表記する。
【００２２】
制御マイコン１は、ＣＰＵ（Central Processing Unit）などを有しており、静電容量式タッチセンサ６に対するタッチを検出するための処理や、表示部４に文字を表示させる処理などを行う。第１実施形態では、制御マイコン１は、入力文字の候補となる入力候補文字を表示部４に表示させて、表示部４に表示された入力候補文字の中で、静電容量式タッチセンサ６に対するタッチ操作に応じた文字を入力文字として確定するための処理を行う。
【００２３】
ここで、第１実施形態において制御マイコン１が行う制御及び処理の概要を説明する。制御マイコン１は、静電容量式タッチセンサ６に対して電圧を印加し、当該電圧を印加した際の静電容量式タッチセンサ６の出力電圧が入力される。そして、制御マイコン１は、静電容量式タッチセンサ６の出力電圧に基づいて、静電容量式タッチセンサ６に対するタッチを検出する。制御マイコン１は、そのような静電容量式タッチセンサ６に対するタッチの検出結果に基づいて、表示部４の表示をスクロールさせるためのスクロール操作が行われたか否かを判定する。詳しくは、制御マイコン１は、静電容量式タッチセンサ６ａ、６ｂのうちの一方に対するタッチを検出した後に、静電容量式タッチセンサ６ａ、６ｂのうちの他方に対するタッチを検出した場合に、スクロール操作が行われたと判定する。そして、制御マイコン１は、スクロール操作が行われたと判定した場合に、表示部４の表示をスクロールさせることで、表示させる入力候補文字を切り替える。
【００２４】
更に、第１実施形態では、制御マイコン１は、静電容量式タッチセンサ６の出力電圧に基づいて、静電容量式タッチセンサ６に対して所定のタッチ操作が行われたか否かを判定する。具体的には、制御マイコン１は、静電容量式タッチセンサ６ａ、６ｂが両方同時にタッチされたか否かを判定する。そして、制御マイコン１は、静電容量式タッチセンサ６ａ、６ｂが両方同時にタッチされたと判定した場合に、この際に表示部４に表示されている入力候補文字を入力文字として確定する、つまり当該入力候補文字を入力文字として取得する。
【００２５】
このように、制御マイコン１は、本発明における「切り替え手段」及び「確定手段」の一例に相当する。また、スクロール操作のための静電容量式タッチセンサ６に対するタッチ操作（静電容量式タッチセンサ６ａ→静電容量式タッチセンサ６ｂといった順にタッチする操作、又は静電容量式タッチセンサ６ｂ→静電容量式タッチセンサ６ａといった順にタッチする操作）は、本発明における「第１のタッチ操作」に相当する。加えて、静電容量式タッチセンサ６ａ、６ｂを両方同時にタッチする操作は、本発明における「第２のタッチ操作」の一例に相当する。
【００２６】
なお、好適な例では、ＩＣカード１０は、少なくとも認証データを含む情報を保持する機能を有するＩＣチップを有しており、上記のようにして制御マイコン１によって確定された入力文字をＩＣチップに入力することにより、その正当性を認証する。つまり、ＩＣカード１０は、制御マイコン１によって確定された入力文字を、ユーザによって入力された暗証番号やパスワードとして用い、入力された暗証番号やパスワードがＩＣチップに保持された認証データに一致する場合にＩＣカード１０としての機能が有効になるように構成されている。なお、ＩＣチップは、制御マイコン１に組み込んでも良いし、制御マイコン１とは別に設けても良い。
【００２７】
次に、図２を参照して、静電容量式タッチセンサ６の一例について説明する。図２は、静電容量式タッチセンサ６の構造を概略的に示した図である。
【００２８】
図２に示すように、静電容量式タッチセンサ６は、制御マイコン１から電圧が印加されるタッチセンサ用電極６１と、グランドに接続されたタッチセンサ用電極６２と、タッチセンサ用電極６１、６２の間に挟み込まれた絶縁層６３と、を有する。例えば、タッチセンサ用電極６１は、図示しない抵抗を介して制御マイコン１から電圧が印加される。静電容量式タッチセンサ６は、このようなタッチセンサ用電極６１、６２及び絶縁層６３によりコンデンサを形成する。
【００２９】
ここで、人の指先は容量を持った導体であるため、タッチセンサ用電極６１が指先でタッチされると、タッチセンサ用電極６１、６２から構成されるコンデンサと、導体である指先を電極とするようなコンデンサとが接続された状態となる。つまり、指先によりタッチセンサ用電極６１がタッチされると、静電誘導現象が発生して静電容量が増加することとなる。そのため、電容量式タッチセンサ６に電圧を印加すると、タッチセンサ用電極６１がタッチされた場合と、タッチセンサ用電極６１がタッチされていない場合とで、静電容量式タッチセンサ６の出力電圧に違いが現れることとなる。具体的には、タッチセンサ用電極６１がタッチされた場合には、タッチセンサ用電極６１がタッチされていない場合よりも、静電容量式タッチセンサ６の出力電圧が低くなる。したがって、このような静電容量式タッチセンサ６の出力電圧をモニタすることで、タッチセンサ用電極６１に対するタッチを検出することができる。
【００３０】
なお、タッチセンサ用電極６１に対するタッチの検出方法は、公知の種々の方法を適用することができる。また、静電容量式タッチセンサ６の構成は図２に示したものに限定はされない。
【００３１】
なお、本明細書では、「センサ用電極６１がタッチされた」と「静電容量式タッチセンサ６がタッチされた」とは同じことを意味するものとする。また、「静電容量式タッチセンサ６の出力電圧」は「センサ用電極６１の出力電圧」と同義であるものとする。
【００３２】
（制御例）
次に、図３を参照して、第１実施形態において制御マイコン１が行う制御例について説明する。図３では、表示部４が、いわゆる７セグメントディスプレイとして構成されており、５つの表示エリアを用いて５桁の数字を表示させる場合を例示している。
【００３３】
図３（ａ）は、まず最初に静電容量式タッチセンサ６ｂがタッチされた場合の図を示している。この場合、制御マイコン１は、静電容量式タッチセンサ６ｂの出力電圧に基づいて、静電容量式タッチセンサ６ｂに対するタッチを検出する。例えば、制御マイコン１は、静電容量式タッチセンサ６ｂに対するタッチを検出した際に、静電容量式タッチセンサ６ｂに対する電圧の印加を停止し、静電容量式タッチセンサ６ａに対してのみ電圧を印加する。
【００３４】
図３（ｂ）は、静電容量式タッチセンサ６ｂがタッチされた後に静電容量式タッチセンサ６ａがタッチされた場合の図を示している。この場合、制御マイコン１は、静電容量式タッチセンサ６ａの出力電圧に基づいて、静電容量式タッチセンサ６ａに対するタッチを検出する。この静電容量式タッチセンサ６ａに対するタッチの検出は静電容量式タッチセンサ６ｂに対するタッチの検出の後になされているため、制御マイコン１は、ユーザによってスクロール操作が行われたと判定する。例えば、制御マイコン１は、静電容量式タッチセンサ６ｂに対するタッチを検出した後に静電容量式タッチセンサ６ａがタッチされたか否かを所定時間監視することで、スクロール操作が行われたか否かを判定する。
【００３５】
こうしてスクロール操作が行われたと判定した場合に、制御マイコン１は、表示部４の表示をスクロールさせる制御を行う。具体的には、制御マイコン１は、静電容量式タッチセンサ６ｂに対するタッチの検出後に静電容量式タッチセンサ６ａに対するタッチを検出しているため、つまり静電容量式タッチセンサ６へのタッチが右から左の方向になされているため、右から左の方向に表示部４の表示をスクロールさせる。一つの例では、制御マイコン１は、図３（ｂ）に示すように、１桁飛ばしでスクロール表示を行う（例えば最初に中央の表示エリアに表示されていた「３」を、中央の左隣りの表示エリアを飛ばして、左端の表示エリアに表示させる）。このように表示をスクロールさせることで、１〜９までの数字を全て表示させることができる。
【００３６】
なお、制御マイコン１は、スクロール操作が行われたと判定した後は、静電容量式タッチセンサ６ａ、６ｂの両方に対して電圧を印加する。また、図３（ｂ）では静電容量式タッチセンサ６へのタッチが右から左の方向になされた場合を例示したが、静電容量式タッチセンサ６へのタッチが左から右の方向になされた場合には、制御マイコン１は、左から右の方向に表示部４の表示をスクロールさせる。
【００３７】
図３（ｃ）は、表示をスクロールさせた後に静電容量式タッチセンサ６ａ、６ｂが両方同時にタッチされた場合の図を示している。この場合、制御マイコン１は、静電容量式タッチセンサ６ａ、６ｂの出力電圧に基づいて、静電容量式タッチセンサ６ａ、６ｂが両方同時にタッチされたことを検出する。そして、制御マイコン１は、この際に表示部４に表示されている入力候補文字を入力文字として確定する。具体的には、制御マイコン１は、表示部４の中央の表示エリアに表示されている数字（図３（ｃ）に示す例では「５」）を、入力文字として取得する。
【００３８】
なお、表示部４の中央の表示エリアに表示されている入力候補文字を入力文字として確定することに限定はされない。他の例では、表示部４の左端又は右端の表示エリアに表示されている入力候補文字を入力文字として確定することができる。基本的には、入力文字を確定するために用いる表示エリアはどこでも良いが、入力文字を確定するために用いる表示エリアをユーザに把握させておくことが必要である。
【００３９】
なお、上記では、１桁飛ばしでスクロール表示を行う例を示したが、つまり２桁移動によりスクロール表示を行う例を示したが、このようなスクロール表示に限定はされない。他の例では、１桁飛ばさずに、１桁ずつ移動させることでスクロール表示を行うことができる。
【００４０】
なお、上記では、静電容量式タッチセンサ６ａ及び６ｂの一方に対するタッチの検出後に静電容量式タッチセンサ６ａ及び６ｂの他方に対するタッチを検出した場合に、スクロール操作が行われたと判定し、静電容量式タッチセンサ６ａ及び６ｂの両方が同時にタッチされたことを検出した場合に、入力文字を確定するための操作（以下では適宜「確定操作」と呼ぶ。）が行われたと判定していた。しかしながら、スクロール操作のために指をスライドさせると、静電容量式タッチセンサ６ａ及び６ｂの両方が同時にタッチされる場合があり、その場合には、スクロール操作と確定操作との判別が困難になる可能性がある。したがって、好適には、静電容量式タッチセンサ６ａ及び６ｂの一方に対するタッチの検出後、一定時間経過後に電容量式タッチセンサ６ａ及び６ｂの他方に対するタッチを検出した場合には、スクロール操作が行われたと判定し、一方で、静電容量式タッチセンサ６ａ及び６ｂの一方に対するタッチの検出後、一定時間内に電容量式タッチセンサ６ａ及び６ｂの他方に対するタッチを検出した場合には、静電容量式タッチセンサ６ａ及び６ｂの両方が同時にタッチされたとみなして、確定操作が行われたと判定すると良い。
【００４１】
［第１実施形態による効果］
以上説明した第１実施形態によれば、表示された入力候補文字の中でユーザによるタッチ操作により選択された文字を入力文字として適切に取得することができる。よって、第１実施形態によれば、簡便なハードウェア構成及びソフトウェア処理にて、暗証番号やパスワードなどを適切に入力することが可能となる。
【００４２】
［第２実施形態］
次に、本発明の第２実施形態について説明する。上記した第１実施形態では、静電容量式タッチセンサ６ａ、６ｂに対して所定のタッチ操作（第２のタッチ操作）が行われた場合、この際に表示部４に表示されている入力候補文字を入力文字として確定していた。これに対して、第２実施形態では、静電容量式タッチセンサ６ａ、６ｂとは別に、入力文字を確定するための静電容量式タッチセンサを設けて、当該静電容量式タッチセンサに対するタッチ操作が行われた際に表示部４に表示されている入力候補文字を入力文字として確定する。それ以外の点は、第１実施形態と同様である。よって、ここで特に説明しない構成要素や制御や処理などについては、第１実施形態と同様であるものとする。
【００４３】
図４は、第２実施形態に係る入力装置を適用したＩＣカード１０ａの全体構成を概略的に示した図である。第２実施形態に係るＩＣカード１０ａは、入力文字を確定するための静電容量式タッチセンサ７を有すると共に、制御マイコン１の代わりに制御マイコン１ａを有する点で、第１実施形態に係るＩＣカード１０と構成が異なる。なお、図１と同一の符号を付した構成要素は同一の意味を有するものとし、その説明を省略する。
【００４４】
静電容量式タッチセンサ７は、静電容量式のタッチセンサ用電極を有しており、ユーザの指先のタッチを検出するために用いられる。また、静電容量式タッチセンサ７は、静電容量式タッチセンサ６ａ、６ｂからある程度離れた位置に設けられている。例えば、静電容量式タッチセンサ７は、人の指先と同程度のサイズに構成される。なお、静電容量式タッチセンサ７を設ける位置は図４に示した位置に限定はされない。
【００４５】
制御マイコン１ａは、ＣＰＵなどを有しており、第１実施形態に係る制御マイコン１と同様に、静電容量式タッチセンサ６、７に対するタッチを検出するための処理や、表示部４に文字を表示させる処理などを行う。第２実施形態では、制御マイコン１ａは、入力文字の候補となる入力候補文字を表示部４に表示させて、表示部４に表示された入力候補文字の中で、静電容量式タッチセンサ７に対するタッチ操作に応じた文字を入力文字として確定するための処理を行う。
【００４６】
ここで、第２実施形態において制御マイコン１ａが行う制御及び処理について具体的に説明する。制御マイコン１ａは、静電容量式タッチセンサ６、７に対して電圧を印加し、当該電圧を印加した際の静電容量式タッチセンサ６、７の出力電圧が入力される。そして、制御マイコン１ａは、静電容量式タッチセンサ６、７の出力電圧に基づいて、静電容量式タッチセンサ６、７に対するタッチを検出する。制御マイコン１ａは、静電容量式タッチセンサ６に対するタッチの検出結果に基づいて、表示部４の表示をスクロールさせるためのスクロール操作が行われたか否かを判定する。詳しくは、制御マイコン１ａは、静電容量式タッチセンサ６ａ、６ｂのうちの一方に対するタッチを検出した後に、静電容量式タッチセンサ６ａ、６ｂのうちの他方に対するタッチを検出した場合に、スクロール操作が行われたと判定する。そして、制御マイコン１ａは、スクロール操作が行われたと判定した場合に、表示部４の表示をスクロールさせることで、表示させる入力候補文字を切り替える。なお、図３（ａ）及び（ｂ）に示したスクロールに関する一連の処理や制御は、第２実施形態にも同様に適用される。
【００４７】
また、第２実施形態では、制御マイコン１ａは、静電容量式タッチセンサ７に対するタッチを検出した場合に、この際に表示部４に表示されている入力候補文字を入力文字として確定する、つまり当該入力候補文字を入力文字として取得する。具体的には、制御マイコン１ａは、表示部４の中の所定の表示エリア（例えば中央の表示エリア）に表示されている入力候補文字を、入力文字として取得する。
【００４８】
このように、制御マイコン１ａは、本発明における「切り替え手段」及び「確定手段」の一例に相当する。また、第２実施形態では、静電容量式タッチセンサ６は、本発明における「第１のタッチセンサ用電極」を具備するセンサの一例に相当し、静電容量式タッチセンサ７は、本発明における「第２のタッチセンサ用電極」を具備するセンサの一例に相当する。
【００４９】
以上説明した第２実施形態によっても、簡便なハードウェア構成及びソフトウェア処理にて、表示された入力候補文字の中でユーザによるタッチ操作により選択された文字を入力文字として適切に取得することができる。
【００５０】
［第３実施形態］
次に、本発明の第３実施形態について説明する。第３実施形態でも、第２実施形態と同様に、スクロール操作を行うための静電容量式タッチセンサ６とは別に、入力文字を確定するための静電容量式タッチセンサを設けて、当該静電容量式タッチセンサに対するタッチ操作が行われた際に表示部に表示されている入力候補文字を入力文字として確定する。しかしながら、第３実施形態では、このような入力文字を確定するための静電容量式タッチセンサが、表示部に設けられている点で、第２実施形態と異なる。つまり、第３実施形態では、表示部がタッチパネルディスプレイとして構成されている。それ以外の点は、第１及び第２実施形態と同様である。よって、ここで特に説明しない構成要素や制御や処理などについては、第１及び第２実施形態と同様であるものとする。
【００５１】
図５は、第３実施形態に係る入力装置を適用したＩＣカード１０ｂの全体構成を概略的に示した図である。第３実施形態に係るＩＣカード１０ｂは、入力文字を確定するための静電容量式タッチセンサ８ａ〜８ｅを有すると共に、制御マイコン１の代わりに制御マイコン１ｂを有する点で、第１実施形態に係るＩＣカード１０と構成が異なる。なお、図１と同一の符号を付した構成要素は同一の意味を有するものとし、その説明を省略する。
【００５２】
静電容量式タッチセンサ８ａ〜８ｅは、静電容量式のタッチセンサ用電極を有しており、ユーザの指先のタッチを検出するために用いられる。静電容量式タッチセンサ８ａ〜８ｅは、それぞれ、表示部４が有する複数の表示エリア（５つの表示エリア）に重畳するように設けられている。例えば、静電容量式タッチセンサ８ａ〜８ｅは、表示部４の各表示エリアと同一位置に積層されている。このような静電容量式タッチセンサ８ａ〜８ｅが設けられた表示部４は、タッチパネル機能を有する液晶ディスプレイとして構成されていると言うことができる。なお、以下では、静電容量式タッチセンサ８ａ〜８ｅを区別しない場合には、単に「静電容量式タッチセンサ８」と表記する。
【００５３】
制御マイコン１ｂは、ＣＰＵなどを有しており、第１実施形態に係る制御マイコン１と同様に、静電容量式タッチセンサ６、８に対するタッチを検出するための処理や、表示部４に文字を表示させる処理などを行う。第３実施形態では、制御マイコン１ｂは、入力文字の候補となる入力候補文字を表示部４に表示させて、表示部４に表示された入力候補文字の中で、静電容量式タッチセンサ８に対するタッチ操作に応じた文字を入力文字として確定するための処理を行う。
【００５４】
ここで、第３実施形態において制御マイコン１ｂが行う制御及び処理について具体的に説明する。制御マイコン１ｂは、静電容量式タッチセンサ６、８に対して電圧を印加し、当該電圧を印加した際の静電容量式タッチセンサ６、８の出力電圧が入力される。そして、制御マイコン１ｂは、静電容量式タッチセンサ６、８の出力電圧に基づいて、静電容量式タッチセンサ６、８に対するタッチを検出する。制御マイコン１ｂは、静電容量式タッチセンサ６に対するタッチの検出結果に基づいて、表示部４の表示をスクロールさせるためのスクロール操作が行われたか否かを判定する。詳しくは、制御マイコン１ｂは、静電容量式タッチセンサ６ａ、６ｂのうちの一方に対するタッチを検出した後に、静電容量式タッチセンサ６ａ、６ｂのうちの他方に対するタッチを検出した場合に、スクロール操作が行われたと判定する。そして、制御マイコン１ｂは、スクロール操作が行われたと判定した場合に、表示部４の表示をスクロールさせることで、表示させる入力候補文字を切り替える。なお、図３（ａ）及び（ｂ）に示したスクロールに関する一連の処理や制御は、第３実施形態にも同様に適用される。
【００５５】
また、第３実施形態では、制御マイコン１ｂは、静電容量式タッチセンサ８に対するタッチを検出した場合に、この際に表示部４に表示されている入力候補文字を入力文字として確定する、つまり当該入力候補文字を入力文字として取得する。具体的には、制御マイコン１ｂは、表示部４が有する複数の表示エリアの中で、タッチ操作が行われた静電容量式タッチセンサ８が設けられた表示エリアに表示されている入力候補文字を、入力文字として取得する。つまり、制御マイコン１ｂは、静電容量式タッチセンサ８ａ〜８ｅのうちでタッチ操作が行われた１つのセンサが設けられた表示エリアに表示されている入力候補文字を、入力文字として取得する。
【００５６】
このように、制御マイコン１ｂは、本発明における「切り替え手段」及び「確定手段」の一例に相当する。また、第３実施形態では、静電容量式タッチセンサ６は、本発明における「第１のタッチセンサ用電極」を具備するセンサの一例に相当し、静電容量式タッチセンサ８は、本発明における「第２のタッチセンサ用電極」を具備するセンサの一例に相当する。
【００５７】
以上説明した第３実施形態によっても、簡便なハードウェア構成及びソフトウェア処理にて、表示された入力候補文字の中でユーザによるタッチ操作により選択された文字を入力文字として適切に取得することができる。
【００５８】
なお、表示部４が有する複数の表示エリアの全てに静電容量式タッチセンサ８を設けることに限定はされない。他の例では、複数の表示エリアの中の１つの表示エリア（例えば中央の表示エリア）にのみ、静電容量式タッチセンサ８を設けることができる。但し、その場合には、静電容量式タッチセンサ８が設けられた表示エリアをユーザに把握させておくことが必要である。
【００５９】
なお、上記では、静電容量式タッチセンサ６ａ、６ｂを用いてスクロール操作を行い、静電容量式タッチセンサ８ａ〜８ｅを用いて確定操作を行っていたが、静電容量式タッチセンサ６ａ、６ｂを用いずに、静電容量式タッチセンサ８ａ〜８ｅのみを用いて、スクロール操作及び確定操作の両方を行うこととしても良い。この場合には、静電容量式タッチセンサ８ａ〜８ｅに対してなされたタッチが、スクロール操作のためのものか、それとも確定操作のためのものかを判別する必要がある。例えば、静電容量式タッチセンサ８ｃに対するタッチの検出後、一定時間内に静電容量式タッチセンサ８ｃに隣接する静電容量式タッチセンサ８ｂ、８ｄに対するタッチを検出した場合には、スクロール操作が行われたと判定し、一方で、静電容量式タッチセンサ８ｃに対するタッチの検出後、一定時間経過しても静電容量式タッチセンサ８ｃに隣接する静電容量式タッチセンサ８ｂ、８ｄに対するタッチを検出しなかった場合には、確定操作が行われたと判定すると良い。
【００６０】
［変形例］
上記では、スクロール操作のために、２つの静電容量式タッチセンサ６ａ、６ｂを用いる実施形態を示したが、３つ以上の静電容量式タッチセンサ６を用いても良い。また、上記では、静電容量式タッチセンサ６を横に並べて配置する例を示したが、静電容量式タッチセンサ６を縦に並べて配置しても良い。静電容量式タッチセンサ６を縦に並べて配置した場合には、縦方向のスクロール操作を判定することとなる。
【００６１】
本発明は、７セグメント表示を行う構成への適用に限定はされない。本発明は、７セグメント表示以外の種々のセグメント表示（例えば１４セグメント表示や１６セグメント表示）にも適用することができる。また、本発明は、セグメント表示にて数字を表示させる構成への適用に限定はされず、数字以外の文字（例えばアルファベットなど）を表示させる構成にも適用することができる。
【００６２】
本発明は、セグメント表示を行う表示部４への適用に限定はされない。本発明は、いわゆるドットマトリックス表示を行う構成にも同様に適用することができる。
【００６３】
本発明は、ＩＣカード１０への適用に限定はされない。本発明は、ユーザのタッチにより所定の動作を行う種々の機器に適用することができる。
【００６４】
上記では、スクロール操作により、表示部４に表示させる文字をスクロールさせる例を示したが、スクロール操作により、表示部４に表示させる項目（表示項目）を切り替えても良い。１つの例では、表示項目としては電子マネーの残額やポイント残高を用いることができ、スクロール操作により、電子マネーの残額とポイント残高とを切り替えることができる。他の例では、例えばＥｄｙ（登録商標）やｗａｏｎ（登録商標）やｎａｎａｃｏ（登録商標）といった複数の電子マネーサービスが一体になったカードを想定すると、これらのサービスに関する表示項目を用いることができ、スクロール操作により、使用するサービスを選択することができる。この場合には、確定操作によって、使用するサービスを確定すれば良い。
【００６５】
このようなことから、本明細書では、「スクロール」とは、表示部４に収まりきらない表示対象を水平方向や垂直方向にスライドさせるといった一般的な意味だけでなく、上記のような表示項目の切り替えの意味も含まれるものとする。
【符号の説明】
【００６６】
１、１ａ、１ｂ  制御マイコン
２  スイッチ
３  電源
４  表示部
６ａ、６ｂ  静電容量式タッチセンサ
７  静電容量式タッチセンサ
８ａ〜８ｅ  静電容量式タッチセンサ
１０、１０ａ、１０ｂ  ＩＣカード
【図１】
2013257644.tif 000003
【図２】
2013257644.tif 000004
【図４】
2013257644.tif 000005
【図５】
2013257644.tif 000006
【図３】
2013257644.tif 000007